(57)【要約】【課題】建物に関連する所定の場所の位置情報を適切に管理することにより、保守員が現場の所定の場所に迅速に訪問できるようにする。【解決手段】本発明の位置情報管理サーバー及び位置情報管理方法では、所定の場所の測位位置情報と、位置情報記憶部に記憶された位置情報との差が所定の範囲外である場合に、位置情報を補正するためのアラームが出力される。そして、位置情報記憶部に記憶された位置情報が測位位置情報で補正される。【選択図】図１
2018147427.tif 000002
【特許請求の範囲】
【請求項１】
建物内の設備の保守を行う保守員が前記建物に入館するための所定の場所の位置情報を記憶する位置情報記憶部と、
前記保守員が所持する携帯端末で測位された前記所定の場所の測位位置情報を、データ送受信処理部を介して受信し、前記測位位置情報と前記位置情報記憶部に記憶された前記位置情報との差が所定の範囲外である場合に、前記位置情報を補正するためのアラームを出力する位置情報異常判定処理部と、
前記位置情報記憶部に記憶された前記位置情報を前記測位位置情報に補正する位置情報登録処理部と、を備える
位置情報管理装置。
【請求項２】
前記所定の場所には、前記保守員が使用する乗り物を停める場所が含まれ、
前記携帯端末との間でデータの送受信を行う前記データ送受信処理部を更に備え、
前記データ送受信処理部は、前記携帯端末から送信された、前記保守員が前記建物に向かう際に使用する交通手段の情報を受信した場合、前記交通手段と予め対応付けられた前記所定の場所の位置情報を前記携帯端末に送信する
請求項１に記載の位置情報管理装置。
【請求項３】
前記位置情報記憶部では、前記所定の場所と、前記場所が使用される複数の異なる時間帯の情報とが対応付けて記憶され、
前記データ送受信処理部は、前記携帯端末から送信された前記時間帯の情報を受信した場合、前記受信した時間帯と予め対応付けられた前記所定の場所の位置情報を前記携帯端末に送信する
請求項２に記載の位置情報管理装置。
【請求項４】
前記位置情報異常判定処理部は、前記所定の場所の位置情報が前記位置情報記憶部に未登録である場合には、前記位置情報記憶部に登録された前記建物の住所を変換して得られる位置情報と、前記所定の場所の測位位置情報とを比較する
請求項２又は３に記載の位置情報管理装置。
【請求項５】
建物内の設備の保守を行う保守員が前記建物に入館するための所定の場所の位置情報を記憶することと、
前記保守員が所持する携帯端末で測位された前記所定の場所の測位位置情報を、データ送受信処理部を介して受信し、前記測位位置情報と前記記憶された前記位置情報との差が所定の範囲外である場合に、前記位置情報を補正するためのアラームを送信することと、
前記記憶された前記位置情報を前記測位位置情報に補正することと、を含む
位置情報管理方法。
【発明の詳細な説明】
【技術分野】
【０００１】
本発明は、位置情報管理装置及び位置情報管理方法に関する。
【背景技術】
【０００２】
設備の点検や維持運用等を保守員が行う契約が、顧客との間で締結されている場合、保守員は、設備が設置されている現場に、定期的もしくは緊急事態発生時に向かう必要がある。このとき、現場に向かう保守員が、現場の場所を確認できるように、監視センターから保守員が所持する携帯端末に対して現場の住所情報を送信し、携帯端末の地図アプリケーションによって現場の位置情報を表示させる手法が一般的に知られている。
【０００３】
特許文献１には、保守員が所持する保守端末装置の表示装置の画面上に、現場の建物の地図情報上の位置を示す現場マークを、地図情報とともに表示させる技術が開示されている。
【先行技術文献】
【特許文献】
【０００４】
【特許文献１】特開２０１６−９８０７８号公報
【発明の概要】
【発明が解決しようとする課題】
【０００５】
保守員が現場の建物に入館する場合、まず建物の入り口の入館場所に向かう必要があるが、特許文献１の技術では、地図情報上に表示される建物の位置が、必ずしも建物の入館場所を示しているとは限らない。地図情報上に建物の入館場所の位置を表示させるには、現場の建物の入館場所の情報を別途管理する必要がある。仮に、現地の建物の入館場所の情報が管理される場合であっても、管理されている入館場所の位置情報が、実際の入館場所の位置情報と異なっている場合には、保守員は、実際の入館場所の確認に時間を取られてしまう。
【０００６】
本発明は、上記課題を解決するためになされたものである。本発明の目的は、現場の建物の入館場所を含む、建物に関連する所定の場所の位置情報を適切に管理することにより、保守員が現場の所定の場所へ迅速に訪問できるようにする位置情報管理装置及び位置情報管理方法を提供することにある。
【課題を解決するための手段】
【０００７】
上記課題を解決するために、本発明の位置情報管理装置は、位置情報記憶部、位置情報異常判定処理部及び位置情報登録処理部を備える。位置情報記憶部は、建物内の設備の保守を行う保守員が建物に入館するための所定の場所の位置情報を記憶する。位置情報異常判定処理部は、保守員が所持する携帯端末で測位された所定の場所の測位位置情報を、データ送受信処理部を介して受信し、測位位置情報と位置情報記憶部に記憶された位置情報との差が所定の範囲外である場合に、位置情報を補正するためのアラームを出力する。位置情報登録処理部は、位置情報記憶部に記憶された位置情報を測位位置情報に補正する。
【０００８】
また、本発明の位置情報管理方法は、次の手順で行われる。まず、建物内の設備の保守を行う保守員が建物に入館するための所定の場所の位置情報を記憶する。次いで、保守員が所持する携帯端末で測位された所定の場所の測位位置情報を、データ送受信処理部を介して受信し、測位位置情報と記憶された位置情報との差が所定の範囲外である場合に、位置情報を補正するためのアラームを送信する。次いで、記憶された位置情報を測位位置情報に補正する。
【発明の効果】
【０００９】
本発明の位置情報管理装置及び位置情報管理方法では、所定の場所の測位位置情報と、位置情報記憶部に記憶された位置情報との差が所定の範囲外である場合に、位置情報を補正するためのアラームが出力される。そして、位置情報記憶部に記憶された位置情報が測位位置情報に補正される。したがって、本発明の位置情報管理装置及び位置情報管理方法によれば、建物に関連する所定の場所の位置情報が適切に管理される。それゆえ、保守員は、適切に管理された位置情報を参照して、現場の所定の場所を迷わず迅速に訪れることができる。
【図面の簡単な説明】
【００１０】
【図１】本発明の一実施形態に係る位置情報管理システムの全体構成を示す概略構成図である。
【図２】本発明の一実施形態に係る位置情報データの構成例を示す説明図である。
【図３】本発明の一実施形態に係る入館履歴情報の構成例を示す説明図である。
【図４】本発明の一実施形態に係る異常検出履歴情報の構成例を示す説明図である。
【図５】本発明の一実施形態に係る携帯端末の表示入力部に表示される位置情報表示画面の構成例（位置情報が未登録の場合）を示す説明図である。
【図６】本発明の一実施形態に係る携帯端末の表示入力部に表示される位置情報表示画面の構成例（位置情報が登録済みの場合）を示す説明図である。
【図７】本発明の一実施形態に係る保守作業支援システムのメニュー画面の構成例を示す説明図である。
【図８】本発明の一実施形態に係る営業所内のＰＣの表示部に表示される位置情報補正画面の構成例を示す説明図である。
【図９】本発明の一実施形態に係る携帯端末における位置情報管理手法の手順を示すフローチャートである。
【図１０】本発明の一実施形態に係る位置情報管理装置における位置情報管理手法の手順を示すフローチャートである。
【発明を実施するための形態】
【００１１】
以下に、本発明の一実施形態に係る位置情報管理装置及び位置情報管理方法の一例を、図面を参照しながら説明するが、本発明は下記の例に限定されない。
【００１２】
＜位置情報管理システムの全体構成＞
まず、図１を参照して、本実施形態に係る位置情報管理装置を含む位置情報管理システムの全体構成について説明する。図１は、本実施形態の位置情報管理システム１００の全体構成を示す概略構成図である。
【００１３】
位置情報管理システム１００は、保守員Ｍ１が所持する携帯端末１、位置情報管理サーバー２（位置情報管理装置の一例）、及び、営業所４に設置されたＰＣ（Personal Computer）５を備える。携帯端末１及び位置情報管理サーバー２は、公衆回線網Ｎを介して接続され、位置情報管理サーバー２及び営業所４内のＰＣ５は、不図示の専用線又はＬＡＮ（Local Area Network）等を介して接続される。
【００１４】
保守員Ｍ１は、現場３にて設備（不図示）の保守を行う保守員であり、携帯端末１を所持して現場３に向かう。現場３は、顧客の建屋３ａ（建物の一例）、駐車場３ｄ及び駐輪場３ｅ（保守員が使用する乗り物を停める場所の一例）を備える。建屋３ａは、入館場所３ｂ及び入館場所３ｃを有する。入館場所３ｂは、昼間の時間帯に使用される（保守員Ｍ１が訪れるべき）入館場所であり、入館場所３ｃは、夜間の時間帯に使用される（保守員Ｍ１が訪れるべき）入館場所である。営業所４は、保守員Ｍ１の拠点であり、例えば保守員Ｍ１の上司等である管理者Ｍ２が所在する。
【００１５】
［携帯端末の構成］
携帯端末１は、例えば携帯電話端末やスマートフォン等で構成され、測位部１１、表示入力部１２、記憶部１３、制御部１４及びネットワークＩ／Ｆ（Interface）部１５を備える。携帯端末１を構成するこれらの各部は、バス１０を介して互いに接続される。
【００１６】
測位部１１は、例えばＧＮＳＳ（Global Navigation Satellite System）等で構成され、緯度経度で示される現在位置情報（測位位置情報の一例）を取得する。なお、本実施形態では測位部１１をＧＮＳＳで構成する例を挙げるが、本発明はこれに限定されない。測位部１１を、携帯電話端末の基地局や、無線通信のアクセスポイント等の位置情報を用いた測位など、他の手法を用いて測位を行うように構成してもよい。
【００１７】
表示入力部１２は、例えばタッチセンサと表示パネルとが一体に形成されたタッチパネル等で構成される。表示入力部１２は、保守員Ｍ１による操作入力を受け付けてその内容に応じた操作信号を生成して制御部１４に供給するとともに、制御部１４の制御に基づいて、画面に表示パネル（不図示）の画面に地図などの画像や文字等を表示する。
【００１８】
記憶部１３は、例えば、ＲＯＭ（Read Only Memory）又はＨＤＤ（Hard Disk Drive）と、ＲＡＭ（Random Access Memory）とを含む。ＲＯＭ又はＨＤＤには、制御部１４によって行われる演算を実行するためのプログラム（ソフトウェア）が格納される。ＲＡＭは、制御部１４がプログラムを実行する際の作業領域として使用される。また、記憶部１３は、現場情報記憶部１３ａ（位置情報記憶部の一例）を有する。現場情報記憶部１３ａには、位置情報データＤ１が格納される。位置情報データＤ１は、現場３毎の入館場所や駐車場、駐輪場等の、建物に関連する（建物に入館するための）各場所の位置情報が記されたデータであり、位置情報管理サーバー２によって管理されるデータである。位置情報データＤ１については、図２を参照して詳述する。
【００１９】
制御部１４は、例えば各種演算機能を備えたＣＰＵ（Central Processing Unit）等で構成され、携帯端末１を構成する各部の動作を制御する。制御部１４は、処理機能部として、現場情報取得処理部１４ａ、入館登録処理部１４ｂ、入館場所異常判定処理部１４ｃ（位置情報異常判定処理部の一例）、表示処理部１４ｄ、入館場所登録処理部１４ｅ及びデータ送受信処理部１４ｆを備える。処理機能部を構成する上記各部の機能は、例えば、記憶部１３に格納されたプログラムをＣＰＵが読み込んで実行することにより実現される。
【００２０】
現場情報取得処理部１４ａは、現場３に向かう前に保守員Ｍ１によって行われる操作に基づいて、位置情報管理サーバー２から位置情報データＤ１を取得し、取得した位置情報データＤ１を、記憶部１３の現場情報記憶部１３ａに格納する。
【００２１】
入館登録処理部１４ｂは、入館場所３ｂ又は３ｃから建屋３ａに始めて入館する保守員Ｍ１によって行われる入館操作に基づいて、入館登録処理を行う。入館登録処理では、保守員Ｍ１が入館操作を行った時刻（入館時刻）、入館操作を行った保守員Ｍ１（登録者）の氏名、測位部１１が測位して得た入館場所３ｂ又は３ｃの現在位置情報が取得される。入館登録処理部１４ｂが入館登録処理によって取得したこれらの情報（以下、「入館情報」とも称する）は、データ送受信処理部１４ｆの制御に基づいて、ネットワークＩ／Ｆ部１５を介して、位置情報管理サーバー２に送信される。
【００２２】
入館場所異常判定処理部１４ｃは、測位部１１が取得した入館場所３ｂ又は３ｃの現在位置情報と、現場情報記憶部１３ａ内の位置情報データＤ１に記載された入館場所の位置情報とのずれ（差）の大きさを測定する。なお、これまでに建屋３ａを保守員Ｍ１が訪問した実績がない場合等には、建屋３ａの入館場所３ｂ又は３ｃの位置情報が、位置情報データＤ１にまだ登録されていないこともある。この場合、入館場所異常判定処理部１４ｃは、建屋３ａの住所を変換して得た位置情報と、測位部１１が取得した現在位置情報とを比較する。
【００２３】
入館場所異常判定処理部１４ｃは、測位部１１が取得した現在位置情報と、位置情報データに登録された入館場所の位置情報とのずれが大きい場合には、位置情報登録確認メッセージを、表示処理部１４ｄを介して表示入力部１２の画面上に表示させる。位置情報登録確認メッセージは、位置情報データＤ１に登録済みの入館場所３ｂ又は３ｃの位置情報を、測位部１１が取得した現在位置情報で更新（もしくは新たに登録）するか否かの判断を、保守員Ｍ１に促すメッセージである。
【００２４】
表示処理部１４ｄは、表示入力部１２の画面上に文字又は画像等を表示する処理を行う。具体的には、表示処理部１４ｄは、位置情報データＤ１に登録されている位置情報を地図上にプロットする処理や、入館登録処理時のＧＵＩを画面上に表示させる処理、位置情報登録確認メッセージ等の各種メッセージを画面上に表示させる処理等を行う。
【００２５】
入館場所登録処理部１４ｅは、保守員Ｍ１による操作に基づいて、位置情報データＤ１に登録済みの位置情報の補正（更新）を行う。位置情報データＤ１に登録されている位置情報を補正する場合の保守員Ｍ１による操作例については、後述の図５及び図６を参照して詳述する。
【００２６】
データ送受信処理部１４ｆは、ネットワークＩ／Ｆ部１５及び公衆回線網Ｎを介して接続される位置情報管理サーバー２との間で、データを送受信する処理を行う。
【００２７】
ネットワークＩ／Ｆ部１５は、例えばモデム等で構成され、不図示のアンテナを介して受信した電波を復調する処理や、制御部１４から供給されたデータ等を変調してアンテナに出力する処理等を行う。
【００２８】
［位置情報管理サーバーの構成］
位置情報管理サーバー２は、ネットワークＩ／Ｆ部２１、記憶部２２及び制御部２３を備える。ネットワークＩ／Ｆ部２１、記憶部２２及び制御部２３は、バス２０を介して互いに接続される。位置情報管理サーバー２は、実環境に構築される実サーバーで構成してもよいが、クラウド環境に構築されるクラウドサーバーで構成してもよい。
【００２９】
ネットワークＩ／Ｆ部２１は、例えばＮＩＣ（Network Interface Card）等で構成され、その端子が接続されたＬＡＮ（Local Area Network）、専用線等を介して各種のデータを送受信することが可能である。
【００３０】
記憶部２２は、例えば、ＲＯＭ又はＨＤＤと、ＲＡＭとを含む。ＲＯＭ又はＨＤＤには、制御部２３によって行われる演算を実行するためのプログラムが格納される。ＲＡＭは、制御部２３がプログラムを実行する際の作業領域として使用される。また、記憶部２２は、現場入館場所記憶部２２ａ、入館情報記憶部２２ｂ及び異常情報記憶部２２ｃを有する。
【００３１】
現場入館場所記憶部２２ａには、位置情報データＤ１が格納される。位置情報データＤ１は、現場３毎の入館場所３ｂ又は３ｃ、駐車場３ｄ、駐輪場３ｅ等の場所の、位置に関する情報が登録されたデータベースである。
【００３２】
入館情報記憶部２２ｂには、入館履歴情報Ｄ２が格納される。入館履歴情報Ｄ２は、携帯端末１の入館登録処理部１４ｂによって取得されて位置情報管理サーバー２に送信された入館情報が蓄積されるデータベースである。入館情報は、上述したように、入館時刻、登録者（保守員Ｍ１）の氏名、並びに、測位部１１が測位して得た入館場所３ｂ又は３ｃの現在位置情報の情報を含む。入館履歴情報Ｄ２については、後述の図３を参照して詳述する。
【００３３】
異常情報記憶部２２ｃには、異常検出履歴情報Ｄ３が格納される。異常検出履歴情報Ｄ３は、位置情報の異常に関する情報が蓄積されるデータベースである。位置情報の異常は、携帯端末１から送信された現在位置情報と、位置情報データＤ１に登録済みの位置情報とのずれが所定以上である場合に、後述の入館場所異常判定処理部２３ｂによって検知される。異常検出履歴情報Ｄ３については、後述の図４を参照して詳述する。
【００３４】
制御部２３は、例えば各種演算機能を備えたＣＰＵ等で構成され、位置情報管理サーバー２を構成する各部の動作を制御する。また、制御部２３は、データ送受信処理部２３ａ、入館場所異常判定処理部２３ｂ及び入館場所登録処理部２３ｃ（位置情報登録処理部の一例）を備える。データ送受信処理部２３ａは、ネットワークＩ／Ｆ部２１及び公衆回線網Ｎを介して接続される携帯端末１との間、又は、不図示の専用線又はＬＡＮ等を介して接続される営業所４内のＰＣ５との間で、データを送受信する処理を行う。
【００３５】
入館場所異常判定処理部２３ｂは、保守員Ｍ１の入館時に携帯端末１の測位部１１によって取得されて入館履歴情報Ｄ２に記録された（現在）位置情報と、位置情報データＤ１に登録済みの位置情報とのずれの大きさを、定期的に測定する。以下、この処理を「位置情報異常検出処理」と称する。位置情報異常検出処理で検出されたずれが大きい場合、入館場所異常判定処理部２３ｂは、ずれに関する情報を異常情報記憶部２２ｃ内の異常検出履歴情報Ｄ３に書き込むとともに、管理者Ｍ２、もしくは保守員Ｍ１に対して、アラーム（位置情報を補正するためのアラームの一例）の通知を行う。アラームの通知は、例えばメール等の手段を用いて行うことができる。なお、位置情報データＤ１内に位置情報が未登録である場合には、入館場所異常判定処理部２３ｂは、位置情報異常検出処理において、現場３（建屋３ａ）の住所から変換して得られる位置情報と、入館履歴情報Ｄ２に記録されている位置情報とを比較する。
【００３６】
入館場所登録処理部２３ｃは、保守員Ｍ１もしくは管理者Ｍ２によって行われる操作の内容に基づいて、位置情報データＤ１内の位置情報の修正を行う。
【００３７】
［営業所内のＰＣの構成］
営業所４内のＰＣ５は、ネットワークＩ／Ｆ部５１、制御部５２、記憶部５３、入力部５４及び表示部５５を備える。ネットワークＩ／Ｆ部５１、制御部５２、記憶部５３、入力部５４及び表示部５５は、バス５０を介して互いに接続される。
【００３８】
ネットワークＩ／Ｆ部５１は、例えばＮＩＣ等で構成され、その端子が接続された専用線又はＬＡＮ等を介して各種のデータを送受信することが可能である。制御部５２は、例えばＣＰＵで構成され、ＰＣ５を構成する各部の動作を制御する。記憶部５３は、例えば、ＲＯＭ又はＨＤＤと、ＲＡＭとを含む。ＲＯＭ又はＨＤＤには、制御部５２によって行われる演算を実行するためのプログラムが格納される。ＲＡＭは、制御部５２がプログラムを実行する際の作業領域として使用される。
【００３９】
入力部５４は、例えばマウス等のポインティングデバイスで構成され、管理者Ｍ２による操作内容に応じた操作信号を生成して制御部５２に供給する。表示部５５は、例えばＬＣＤ（Liquid Crystal Display）等で構成される。表示部５５の画面には、位置情報管理サーバー２の入館場所異常判定処理部２３ｂで生成されてデータ送受信処理部２３ａによって送信されたアラームや、位置情報管理サーバー２の記憶部２２に記憶された各種データベースのデータ等が表示される。
【００４０】
位置情報管理サーバー２から送信されたアラームを見た管理者Ｍ２は、例えば、位置情報管理サーバー２の異常情報記憶部２２ｃ内の異常検出履歴情報Ｄ３を参照しながら、入力部５４を操作することにより、位置情報データＤ１内の位置情報の修正を行える。なお、アラームを受信していない場合であっても、入力部５４を操作することにより、管理者Ｍ２は任意のタイミングで位置情報データＤ１内の位置情報を修正することができる。
【００４１】
＜各種データベースの構成例＞
次に、位置情報管理サーバー２の記憶部２２又は携帯端末１の記憶部１３内に記憶される各種データ（位置情報データＤ１、入館履歴情報Ｄ２及び異常検出履歴情報Ｄ３）の構成例について、図２〜図４を参照して説明する。図２は、位置情報データＤ１の構成例を示す説明図であり、図３は、入館履歴情報Ｄ２の構成例を示す説明図であり、図４は、異常検出履歴情報Ｄ３の構成例を示す説明図である。
【００４２】
（位置情報データの構成例）
まず、図２を参照して、位置情報データＤ１の構成例について説明する。位置情報データＤ１は、位置情報管理サーバー２の記憶部２２の現場入館場所記憶部２２ａ内に格納される。また、現場３に向かう保守員Ｍ１による操作が行われた場合には、位置情報データＤ１は携帯端末１の現場情報取得処理部１４ａによって測位部１１から取得され、携帯端末１の記憶部１３の現場情報記憶部１３ａに格納される。なお、本実施形態では、位置情報管理サーバー２の現場入館場所記憶部２２ａに格納される位置情報データＤ１と、携帯端末１の現場情報記憶部１３ａに格納される位置情報データＤ１とが同一である場合を例に挙げるが、本発明はこれに限定されない。例えば、携帯端末１の現場情報記憶部１３ａに格納される位置情報データＤ１は、保守員Ｍ１が向かう現場３に関する位置情報のみが抽出された位置情報データであってもよい。
【００４３】
位置情報データＤ１は、図２に示すように、現場ＩＤ Ｉ１、現場名Ｉ２、住所Ｉ３、入館場所（昼間）Ｉ４、入館場所（夜間）Ｉ５、駐車場（昼間）Ｉ６、駐車場（夜間）Ｉ７、駐輪場（昼間）Ｉ８、駐輪場（夜間）Ｉ９及び夜間時間Ｉ１０の各項目を有する。
【００４４】
現場ＩＤ Ｉ１は、現場３毎に割り振られたユニークなコードであり、位置情報データＤ１を構成する各項目は、この現場ＩＤに紐付けて管理される。現場名Ｉ２は、現場３の名称を示す。図２に示す例では、「Ａビル」、「Ｂ学校」及び「Ｃショッピングセンター」の３つの現場３の名称が登録されている。住所Ｉ３には、各現場の住所が登録される。
【００４５】
入館場所（昼間）Ｉ４には、昼間に使用される入館場所の位置情報に関する情報が登録され、入館場所（夜間）Ｉ５には、夜間に使用される入館場所の位置情報に関する情報が登録される。また、駐車場（昼間）Ｉ６には、昼間に使用される駐車場の位置情報に関する情報が登録され、駐車場（夜間）Ｉ７には、夜間に使用される駐車場の位置情報に関する情報が登録される。さらに、駐輪場（昼間）Ｉ８には、昼間に使用される駐輪場の位置情報に関する情報が登録され、駐輪場（夜間）Ｉ９には、夜間に使用される駐輪場の位置情報に関する情報が登録される。
【００４６】
入館場所（昼間）Ｉ４、入館場所（夜間）Ｉ５、駐車場（昼間）Ｉ６、駐車場（夜間）Ｉ７、駐輪場（昼間）Ｉ８及び駐輪場（夜間）Ｉ９は、それぞれ、「位置情報」、「登録時刻」、「登録者」及び「登録デバイス」の項目を有する。
【００４７】
「位置情報」は、緯度・経度で示されるその場所（以下、「登録場所」とも称する）の位置情報である。図２に示す例では、“Ａビル”の入館場所（昼間）Ｉ４には、“35.768456,139.850338”が登録され、入館場所（夜間）には、“35.768456，139.850338”が登録されている。一方、“Ｂ学校”においては、入館場所（昼間）Ｉ４、入館場所（夜間）Ｉ５、駐車場（昼間）Ｉ６、駐車場（夜間）Ｉ７、駐輪場（昼間）Ｉ８及び駐輪場（夜間）Ｉ９のいずれの項目においても、位置情報は“未登録”となっている。
【００４８】
「登録時刻」には、「位置情報」が位置情報データＤ１に登録された日時が書き込まれる。「登録者」には、「位置情報」に書き込まれた現在位置情報を取得した（入館処理を行った）携帯端末１を所持している保守員Ｍ１の名称が登録される。「登録デバイス」には、「位置情報」の登録を行った登録デバイスの情報が登録される。
【００４９】
なお、位置情報データＤ１の初期状態においては、住所Ｉ３の情報のみが登録されており、入館場所（昼間）Ｉ４、入館場所（夜間）Ｉ５、駐車場（昼間）Ｉ６、駐車場（夜間）Ｉ７、駐輪場（昼間）Ｉ８及び駐輪場（夜間）Ｉ９の情報は登録されていない。現場３を最初に訪れた保守員Ｍ１がこれらの場所の情報を登録することにより、「位置情報」、「登録時間」、「登録者」及び「登録デバイス」の各項目が位置情報データＤ１に登録される。
【００５０】
夜間時間Ｉ１０には、入館場所（夜間）Ｉ５、駐車場（夜間）Ｉ７及び駐輪場（夜間）Ｉ９における「夜間」の時間帯に関する情報が登録される。夜間時間Ｉ１０は、「設定有無」、「開始時間」、「終了時間」、「登録者」及び「登録デバイス」の各項目を有する。
【００５１】
「設定有無」には、各登録場所における夜間時間の設定の有無が登録され、設定がある場合には“あり”が、設定がない場合には“なし”が登録される。「開始時間」には、夜間時間の開始時間が登録され、「終了時間」には、夜間時間の終了時間が登録される。図２に示す例では、“Ａビル”における夜間時間の開始時間は“22:00:00”であり、終了時間は“06:30:00”である。したがって、例えば、２２時から翌朝の６時３０分までの時間帯に保守員Ｍ１が“Ａビル”を訪問する場合には、夜間に使用される場所を訪れる必要がある。具体的には、保守Ｍ１は、入館場所（夜間）Ｉ５、駐車場（夜間）Ｉ７又は駐輪場（夜間）Ｉ９を訪れる必要がある。それ以外の時間帯に訪問する場合には、保守Ｍ１は、昼間に使用される場所である、入館場所（昼間）Ｉ４、駐車場（昼間）Ｉ６、又は駐輪場（昼間）Ｉ８を訪れる必要がある。
【００５２】
（入館履歴情報の構成例）
次いで、図３を参照して、入館履歴情報Ｄ２の構成例について説明する。入館履歴情報Ｄ２は、携帯端末１の入館登録処理部１４ｂによる入館登録処理に基づいて登録されるデータであり、位置情報管理サーバー２の記憶部２２の入館情報記憶部２２ｂ内に格納される。
【００５３】
図３に示すように、入館履歴情報Ｄ２は、入館履歴ＩＤ Ｉ１１、現場ＩＤ Ｉ１２、現場名Ｉ１３、入館日時Ｉ１４、登録者Ｉ１５及び入館場所Ｉ１６の各項目を有する。入館履歴ＩＤ Ｉ１１には、携帯端末１の入館登録処理部１４ｂによって入館登録処理が行われた各案件に対して割り振られるＩＤが格納される。現場ＩＤ Ｉ１２には、現場３毎に割り振られたＩＤが記録され、現場名Ｉ１３には、現場３の名称が記録される。入館日時Ｉ１４には、保守員Ｍ１が入館場所３ｂ又は３ｃに入館した日時、すなわち、携帯端末１の入館登録処理部１４ｂによって入館登録処理が行われた日時が記録される。登録者Ｉ１５には、入館操作を行った保守員Ｍ１の名称が記録され、入館場所Ｉ１６には、保守員Ｍ１による入館操作に基づいて、携帯端末１の測位部１１で取得された現在位置情報が記録される。
【００５４】
図３に示す例では、入館履歴ＩＤ“0001”に紐付けて、現場名が“Ａビル”である建物に保守員Ｍ１が入館した日時は“2016/6／22 10：05：35”であり、入館操作を行った保守員Ｍ１（登録者）は“日立  一郎”である情報が記録されている。さらに、入館場所３ｂ又は３ｃの位置情報は“35.768458,139.850336”であることも記録されている。
【００５５】
（異常検出履歴情報の構成例）
次いで、図４を参照して、異常検出履歴情報Ｄ３の構成例について説明する。異常検出履歴情報Ｄ３には、位置情報管理サーバー２の入館場所異常判定処理部２３ｂによって行われる位置情報異常検出処理の結果の情報が記録される。さらに、異常検出履歴情報Ｄ３には、入館場所異常判定処理部２３ｂでアラームが生成された案件に対する、保守員Ｍ１又は管理者Ｍ２の対応に関する情報も記録される。
【００５６】
図４に示すように、異常検出履歴情報Ｄ３は、異常検出ＩＤ Ｉ２１、現場ＩＤ Ｉ２２、現場名Ｉ２３、入館日時Ｉ２４、登録者Ｉ２５、入館場所Ｉ２６、比較位置情報Ｉ２７、種別Ｉ２８、位置のずれＩ２９、メッセージＩ３０及び対応Ｉ３１の各項目を有する。
【００５７】
異常検出ＩＤ Ｉ２１には、入館場所異常判定処理部２３ｂによる位置情報異常検出処理の結果、異常として検出された各案件に対して個別に割り振られるＩＤが格納される。現場ＩＤ Ｉ２２には、各現場３に対して割り振られたＩＤが記録され、現場名Ｉ２３には、各現場３の名称が記録される。入館日時Ｉ２４には、保守員Ｍ１が入館場所３ｂ又は３ｃに入館した日時が記録され、登録者Ｉ２５には、入館操作を行った保守員Ｍ１の名称が記録される。入館場所Ｉ１６には、携帯端末１の測位部１１で取得された現在位置情報が記録される。
【００５８】
比較位置情報Ｉ２７には、入館場所異常判定処理部２３ｂが位置情報異常検出処理において、入館時に取得された入館場所３ｂ又は３ｃの位置情報（現在位置情報）との比較を行った位置情報が記録される。種別Ｉ２８には、該比較を行った位置情報の種別が記録される。
【００５９】
例えば、入館場所異常判定処理部２３ｂが現在位置情報と比較した位置情報が、位置情報データＤ１に予め登録された位置情報である場合には、比較位置情報Ｉ２７には、位置情報データＤ１内の位置情報が記録される。そして、種別Ｉ２８には、「登録済み位置情報」の情報が記録される。一方、入館場所異常判定処理部２３ｂが現在位置情報と比較した位置情報が、位置情報データＤ１に予め登録済みの住所を変換して得られた位置情報である場合には、比較位置情報Ｉ２７には、住所を変換して得られる位置情報が記録される。そして、種別Ｉ２８には、「住所」の情報が記録される。
【００６０】
位置のずれＩ２９には、入館場所異常判定処理部２３ｂの位置情報異常検出処理によって検出された、入館時に取得された入館場所３ｂ又は３ｃの位置情報、及び、登録済みの位置情報（又は住所を変換して得た位置情報）とのずれの大きさ（ｋｍ）が記録される。
【００６１】
メッセージＩ３０には、入館場所異常判定処理部２３ｂによって生成されたアラーム中のメッセージ（位置情報登録確認メッセージ）の内容が記録される。位置情報登録確認メッセージには、例えば、「入館場所が未登録です。」、「登録済み入館場所と入館時の位置情報とが異なります。」等がある。
【００６２】
対応Ｉ３１には、位置情報登録確認メッセージを受け取った保守員Ｍ１又は管理者Ｍ２が、アラームを消すために行った対応の内容が記録される。例えば、現場３に居る保守員Ｍ１が、アラームを受信したその時ではなく、例えば営業所４に戻ってから等の、時間的に後の段階で修正を行う場合には、保守員Ｍ１は、対応の内容として携帯端末１を操作して「次回変更」を選択する。この場合、対応Ｉ３１には、「次回変更」の情報が記録される。一方、保守員Ｍ１又は管理者Ｍ２によって、携帯端末１又はＰＣ５を介して位置情報の修正が実施された場合には、対応Ｉ３１には「修正実施」の情報が記録される。
【００６３】
なお、入館場所異常判定処理部２３ｂによる位置情報異常検出処理で、位置情報にずれ生じていると判定する際の閾値には、例えば、保守員Ｍ１が目視でその登録場所（入館場所３ｂ、３ｃ等）を確認できる範囲、具体的には“５ｍ”等を設定することができる。つまり、位置情報異常検出処理で比較した両位置情報が、５ｍ以上ずれている場合に、入館場所異常判定処理部２３ｂは、位置情報にずれが生じていると判定する。位置情報の判定に用いる上記閾値は、固定値として設定してもよいが、現場３の立地条件、例えば、密集地であるか否か、測位部１１が取得する現在位置情報に誤差が生じやすいか否か等の情報に応じて、適宜変更可能としてもよい。
【００６４】
＜携帯端末の画面に表示される位置情報表示画面の構成例＞
次に、保守員Ｍ１が所持する携帯端末１の表示入力部１２（図１参照）に表示される位置情報表示画面の構成例について、図５〜図７を参照して説明する。図５及び図６は、携帯端末１の表示入力部１２に表示される位置情報表示画面Ｓｃ１の構成例を示す説明図であり、図７は、保守員Ｍ１が入館操作等を行う保守作業支援システムのメニュー画面の構成例を示す説明図である。
【００６５】
まず、図５及び図６を参照して、携帯端末１の表示入力部１２に表示される位置情報表示画面Ｓｃ１の構成例について説明する。図５は、現場３の位置情報（位置情報データＤ１内の「位置情報」（図２参照））が未登録である場合に表示される位置情報表示画面Ｓｃ１の例を示す。過去に保守員Ｍ１が訪問した実績のない現場３に保守員Ｍ１が初めて訪れる場合には、位置情報データＤ１内の「位置情報」には位置情報が登録されていないため、携帯端末１の表示入力部１２には、図５に示す位置情報表示画面Ｓｃ１が表示される。
【００６６】
図５に示す位置情報表示画面Ｓｃ１の上側の領域１２１には、現場３周辺の地図が表示される。地図には、現場３の建屋３ａや入館場所（昼間）３ｂの形とともに、住所情報変換位置情報表示ピンＰ１及び現在位置表示ピンＰ２が表示される。住所情報変換位置情報表示ピンＰ１は、位置情報データＤ１内の現場３の住所を緯度・経度に変換して得られる位置情報が示す位置に表示される。現在位置表示ピンＰ２は、携帯端末１の測位部１１にて測定した保守員Ｍ１の現在位置に表示される。
【００６７】
領域１２１の下方の領域１２２には、現場３の現場名及び住所が表示される。さらにその下方の領域１２３には、登録場所の位置情報を表示させるための表示ボタン１２３ｄ、及び、位置情報を登録するための登録ボタン１２３ｅ、並びに、その登録場所に関する情報が表示される。登録場所に関する情報としては、番号１２３ａ、登録場所１２３ｂ及び時間帯１２３ｃの情報が表示される。番号１２３ａには、現場３の現場ＩＤに対応する番号が表示される。登録場所１２３ｂには、登録場所の名称（「入館場所」、「駐車場」又は「駐輪場」）が表示される。時間帯１２３ｃには、「昼間」又は「夜間」の時間帯が表示される。
【００６８】
番号１２３ａ、登録場所１２３ｂ及び時間帯１２３ｃの各項目では、保守員Ｍ１が任意の値を選択することが可能である。値は、文字や数字の直接入力によって設定されてもよく、プルダウンメニューとして表示したものの中から保守員Ｍ１に任意のものを選択させることによって設定されてもよい。番号１２３ａ、登録場所１２３ｂ及び時間帯１２３ｃの各項目において選択された値に基づいて、登録場所の位置情報が地図上にピンで表示される。
【００６９】
例えば、現場３の入館場所３ｂに到着した保守員Ｍ１が、番号１２３ａとして“００１”を、登録場所１２３ｂとして“入館場所”を、時間帯１２３ｃとして“昼間”を選択し、表示ボタン１２３ｄを押下したとする。この場合、位置情報データＤ１に昼間の入館場所３ｂの位置情報が登録済みであれば、地図上に、昼間の入館場所３ｂの位置を示すピン（以下、「登録済み位置情報表示ピン」と称する）が表示される。しかしながら、図５に示す例では、入館場所３ｂの位置情報が未登録である場合を挙げているため、登録済み位置情報表示ピンは表示されず、住所情報変換位置情報表示ピンＰ１が表示される。
【００７０】
このとき、現在位置表示ピンＰ２が、正しく入館場所３ｂの位置を示していれば、保守員Ｍ１は、登録ボタン１２３ｅを押下することにより、現在位置表示ピンＰ２が示す位置の位置情報が、昼間の入館場所３ｂの位置情報として登録される。より詳細には、入館場所登録処理部１４ｅが、携帯端末１の現場情報記憶部１３ａ内の位置情報データＤ１における入館場所（昼間）の位置情報を、現在位置表示ピンＰ２が示す位置の位置情報で更新する。この位置情報の更新に伴って、位置情報データＤ１内の登録時刻も更新される。
【００７１】
さらに、更新された情報は、携帯端末１のデータ送受信処理部１４ｆの処理に基づいて、ネットワークＩ／Ｆ１５及び公衆回線網Ｎを経由して、位置情報管理サーバー２に送信される。そして、位置情報管理サーバー２では、データ送受信処理部２３ａの制御に基づいてネットワークＩ／Ｆ２１が受信した情報（データ）で、現場入館場所記憶部２２ａ内の位置情報データＤ１のデータが更新される。位置情報データＤ１内のデータの更新は、位置情報管理サーバー２の入館場所登録処理部２３ｃによって行われる。
【００７２】
なお、携帯端末１の測位部１１により取得される現在位置に誤差が含まれている場合もあるため、本実施形態では、現在位置表示ピンＰ２の位置を、登録場所の実際の位置と一致する位置に保守員Ｍ１が修正できるように構成している。現在位置表示ピンＰ２の位置の修正は、保守員Ｍ１の指やタッチペン（不図示）によって、現在位置表示ピンＰ２の位置を所望の位置にずらすこと等により行うことができる。また、保守員Ｍ１によって登録ボタン１２３ｅが押下された際に、公衆回線網Ｎ経由での位置情報管理サーバー２との通信が正常に行えなかった場合には、後から更新情報の送信のみ再実行することとする。
【００７３】
次いで、図６を参照して、現場３の位置情報（位置情報データＤ１内の「位置情報」）が登録済みである場合の位置情報表示画面Ｓｃ１の構成例について説明する。図６は、現場３の位置情報が登録済みである場合の位置情報表示画面Ｓｃ１の構成例を示す説明図である。図６において、図５と対応する箇所には同一の符号を付し、重複する説明は省略する。
【００７４】
図６に示す位置情報表示画面Ｓｃ１は、保守員Ｍ１が番号１２３ａとして“００１”を、登録場所１２３ｂとして“入館場所”を、時間帯１２３ｃとして“昼間”を選択し、表示ボタン１２３ｄを押下した場合に表示される画面である。地図上には、保守員Ｍ１の現在位置を示す現在位置表示ピンＰ２とともに、位置情報データＤ１に登録済みの昼間の入館場所３ｂの位置を示す、登録済み位置情報表示ピンＰ３が表示されている。
【００７５】
保守員Ｍ１は入館場所３ｂに位置しており、現在位置表示ピンＰ２が、正しく入館場所３ｂの位置を指しているとする。つまり、登録済み位置情報表示ピンＰ３によって示される登録済みの入館場所３ｂの位置は、実際の入館場所３ｂの位置と一致していない。この場合、保守員Ｍ１は、登録済み位置情報表示ピンＰ３の位置を現在位置表示ピンＰ２が示す入館場所３ｂの位置に移動させて、登録ボタン１２３ｅを押下することにより、入館場所３ｂの位置情報を補正することができる。もしくは、登録済み位置情報表示ピンＰ３の位置を移動させなくても、現在位置表示ピンＰ２が指す位置で、登録場所の位置情報を更新するように予め設定しておき、登録ボタン１２３ｅの押下を検知した場合に、入館場所３ｂの位置情報の補正を実施してもよい。
【００７６】
なお、図５及び図６に示した例では、位置情報表示画面Ｓｃ１に表示させたい登録場所を、保守員Ｍ１が登録場所１２３ｂで選択する例を挙げたが、本発明はこれに限定されない。例えば、保守作業支援システムのメニュー画面等において、保守員Ｍ１が現場３に向かう際に使用する交通手段が選択された場合に、選択された交通手段に対応する登録場所の位置情報を、位置情報表示画面Ｓｃ１に表示させてもよい。
【００７７】
図７に、保守作業支援システムのメニュー画面の例を示す。図７Ａは、保守作業支援システムのメニュー画面Ｓｃ２の例を示す説明図であり、図７Ｂは、保守作業支援システムのメニュー画面において“出発”の項目が選択された後に表示される画面の例を示す説明図である。
【００７８】
図７Ａに示す保守作業支援システムのメニュー画面Ｓｃ２には、出発ボタン１２４、入館ボタン１２５、退館ボタン１２６及び帰着ボタン１２７の各ボタンが形成される。出発ボタン１２４は、現場３に向かって出発するタイミングで保守員Ｍ１によって押下されるボタンであり、入館ボタン１２５は、入館場所３ｂ又は３ｃに入館するタイミングで保守員Ｍ１によって押下されるボタンである。退館ボタン１２６は、現場３の建屋３ａから退館するタイミングで保守員Ｍ１によって押下されるボタンであり、帰着ボタン１２７は、現場３から戻ってきて営業所４に到着したタイミングで保守員Ｍ１によって押下されるボタンである。
【００７９】
保守員Ｍ１によって出発ボタン１２４が押下されると、図７Ｂに示す画面に遷移する。図７Ｂには、交通手段選択プルダウンメニュー１２８が表示されており、選択肢として、「徒歩」、「自転車」及び「車」の３つの交通手段が表示されている。図７Ｂに示す画面で、保守員Ｍ１によって例えば「車」が選択された場合、図５及び図６に示した位置情報表示画面Ｓｃ１の領域１２３内の登録場所１２３ｂでは「駐車場」が選択される。そして、位置情報表示画面Ｓｃ１の地図上には、駐車場３ｄの位置を示す登録済み位置情報表示ピンＰ３が表示される。また、交通手段として例えば「自転車」が選択された場合、図５及び図６に示した位置情報表示画面Ｓｃ１の登録場所１２３ｂでは「駐輪場」が選択され、地図上には、駐輪場３ｅの位置を示す登録済み位置情報表示ピンＰ３が表示される。
【００８０】
なお、交通手段選択プルダウンメニュー１２８で選択された交通手段の情報だけでなく、測位部１１が取得した保守員Ｍ１の現在位置情報も併せて、位置情報表示画面Ｓｃ１に表示する登録場所を変更するように構成してもよい。例えば、交通手段として「車」を選択した保守員Ｍ１が、駐車場３ｄの位置に到達した時点で、測位部１１が取得した現在位置情報に基づいて、保守員Ｍ１が次に訪れるべき入館場所３ｂ又は３ｃの位置を、登録済み位置情報表示ピンＰ３で示してもよい。このとき、登録済み位置情報表示ピンＰ３を点滅させる等により、保守員Ｍ１が次に訪れるべき場所（入館場所３ｂ又は３ｃ）を分かりやすく表示してもよい。
【００８１】
また、携帯端末１に対して保守員Ｍ１によって入力される操作の内容に応じて、対応する登録場所の位置情報を取得し、該取得した位置情報を表示入力部１２に表示させる処理は、携帯端末１内で行ってもよいが、位置情報管理サーバー２側で行ってもよい。携帯端末１に対して保守員Ｍ１によって入力される操作には、例えば、図５又は図６の位置情報表示画面Ｓｃ１にて保守員Ｍ１が登録場所１２３ｂや時間帯１２３ｃ等を指定する操作、又は、図７Ｂの画面で交通手段を選択する操作等がある。
【００８２】
位置情報管理サーバー２側で処理を行う場合においては、携帯端末１のデータ送受信処理部１４ｆが、保守員Ｍ１による操作の内容を位置情報管理サーバー２に送信する。そして、位置情報管理サーバー２の制御部２３が、受信した保守員Ｍ１による操作の内容と対応する登録場所の位置情報を位置情報データＤ１から抽出する。さらに、制御部２３が抽出した登録場所の位置情報を、データ送受信処理部２３ａが携帯端末１に送信する。
【００８３】
＜ＰＣの画面に表示される位置情報補正画面の構成例＞
次に、営業所４内のＰＣ５の表示部５５に表示される位置情報補正画面の構成例について、図８を参照して説明する。図８は、ＰＣ５の表示部５５に表示される位置情報補正画面Ｓｃ２の構成例を示す説明図である。
【００８４】
図８に示す位置情報補正画面Ｓｃ３には、住所情報変換位置情報表示ピンＰ１１、入館位置表示ピンＰ１２及び登録済み入館場所表示ピンＰ１３が表示されている。住所情報変換位置情報表示ピンＰ１１は、現場入館場所記憶部２２ａ内の位置情報データＤ１の住所Ｉ３（図２参照）に登録済みの住所を変換して得られる位置情報と対応する位置に表示される。入館位置表示ピンＰ１２は、保守員Ｍ１が実際に入館操作（入館登録）を行った場所の位置情報と対応する位置に表示される。登録済み入館場所表示ピンＰ１３は、位置情報データＤ１の各登録場所の「位置情報」に登録済みの位置情報と対応する位置に表示される。
【００８５】
入館位置表示ピンＰ１２及び登録済み入館場所表示ピンＰ１３には、それぞれの位置情報に付随する情報がバルーンＢ１及びＢ２で表示される。具体的には、入館位置表示ピンＰ１２の位置に示されたバルーンＢ１には、“入館現場：Ｃショッピングセンター、入館日：2016/06/30、入館時刻：17:03:05”の情報が表示されている。また、登録済み入館場所表示ピンＰ１３の位置に示されたバルーンＢ２には、“［比較位置情報］登録時刻：2016/06/22 10:05:35、登録者：日立  次郎”の情報が表示されている。
【００８６】
図８に示す例の様に、登録済み入館場所表示ピンＰ１３が示す位置情報が、入館位置表示ピンＰ１２からずれていたとする。この場合、管理者Ｍ２は、登録済み入館場所表示ピンＰ１３の位置を入館位置表示ピンＰ１２の位置までずらすことにより、現場入館場所記憶部２２ａ内の位置情報データＤ１の位置情報を、入館位置表示ピンＰ１２が示す位置情報で補正することができる。登録済み入館場所表示ピンＰ１３の位置の移動は、マウス等で構成される入力部５４を管理者Ｍ２が操作することにより、行うことができる。
【００８７】
＜位置情報管理システムによる位置情報管理手法＞
次に、本実施形態の位置情報管理システムによる位置情報管理手法について、図９及び図１０を参照して説明する。図９は、本実施形態の位置情報管理システム１００を構成する携帯端末１による位置情報管理手法の手順を示すフローチャートである。図１０は、本実施形態の位置情報管理システム１００を構成する位置情報管理サーバー２による位置情報管理手法の手順を示すフローチャートである。図９及び図１０では、保守員Ｍ１が昼間の入館場所３ｂを訪れた場合を挙げて説明する。
【００８８】
［携帯端末における位置情報管理手法］
まず、図９を参照して、携帯端末１における位置情報管理手法について説明する。まず、携帯端末１の入館場所異常判定処理部１４ｃは、入館登録処理部１４ｂにおいて入館処理（入館登録処理）が実施されたか否かを確認する（ステップＳ１）。ステップＳ１で、入館処理が実施されていないと判定された場合（ステップＳ１がＮＯ判定の場合）、入館場所異常判定処理部１４ｃは、ステップＳ１の判定を繰り返す。一方、ステップＳ１で、入館処理は実施されたと判断された場合（ステップＳ１がＹＥＳ判定の場合）、入館場所異常判定処理部１４ｃは、測位部１１に現在位置情報を取得させる（ステップＳ２）。
【００８９】
次いで、入館場所異常判定処理部１４ｃは、記憶部１３内の現場情報記憶部１３ａにアクセスして、位置情報データＤ１に入館場所３ｂが登録済みか否かを判定する（ステップＳ３）。ステップＳ３で、入館場所が登録済みであると判定された場合（ステップＳ３がＹＥＳ判定の場合）、入館場所異常判定処理部１４ｃは、登録済み入館場所３ｂの位置情報と、現在位置情報とのずれが正常範囲内か否かを判定する（ステップＳ４）。
【００９０】
ステップＳ４で、位置情報のずれが正常範囲内であると判定された場合（ステップＳ４がＹＥＳ判定の場合）、入館場所異常判定処理部１４ｃは、入館情報を、データ送受信処理部１４ｆを介して位置情報管理サーバー２に送信する（ステップＳ５）。一方、ステップＳ４で、位置情報のずれが正常範囲内でないと判定された場合（ステップＳ４がＮＯ判定の場合）、表示処理部１４ｄは、表示入力部１２の画面に位置情報登録確認メッセージを表示する（ステップＳ６）。ここで表示入力部１２の画面に表示する位置情報登録確認メッセージは、現在位置情報で入館場所３ｂの位置情報を更新するか否かを確認するメッセージである。具体的には、例えば「登録済みの入館場所と現在地とが異なります。現在地を入館場所として更新しますか。」等のメッセージが表示される。
【００９１】
次いで、入館場所異常判定処理部１４ｃは、保守員Ｍ１によって、現在位置情報で入館場所３ｂの位置情報を更新する指示が入力されたか否かを判定する（ステップＳ７）。ステップＳ７で、現在位置情報で入館場所３ｂの位置情報を更新する指示が入力されたと判定された場合（ステップＳ７がＹＥＳ判定の場合）、入館場所登録処理部１４ｅ及びデータ送受信処理部１４ｆは、位置情報更新処理を行う（ステップＳ８）。位置情報更新処理は、入館場所登録処理部１４ｅが、現場情報記憶部１３ａに格納された位置情報データＤ１に登録済みの入館場所３ｂの位置情報を、測位部１１が取得した現在位置情報で更新する処理である。また、データ送受信処理部１４ｆが、入館場所登録処理部１４ｅで更新された位置情報を、ネットワークＩ／Ｆ部１５及び公衆回線網Ｎを経由して、位置情報管理サーバー２に送信する処理である。
【００９２】
一方、ステップＳ７で、現在位置情報で入館場所３ｂの位置情報を更新する指示が入力されていないと判定された場合（ステップＳ７がＮＯ判定の場合）、入館場所異常判定処理部１４ｃは、ステップＳ５に処理を移す。そして、ステップＳ５において、入館処理で生成された入館情報が、データ送受信処理部１４ｆを介して位置情報管理サーバー２に送信される。
【００９３】
ステップＳ３で、入館場所３ｂが未登録であると判定された場合（ステップＳ３がＮＯ判定の場合）、入館場所異常判定処理部１４ｃは、現場３の住所から変換した位置情報と、現在位置情報とのずれが正常範囲内であるか否かを判定する（ステップＳ９）。ステップＳ９で、位置情報のずれが正常範囲内であると判定された場合（ステップＳ９がＹＥＳ判定の場合）、表示処理部１４ｄは、表示入力部１２の画面に位置情報登録確認メッセージを表示する（ステップＳ１０）。ここで表示入力部１２の画面に表示する位置情報登録確認メッセージは、現在位置情報を入館場所３ｂの位置情報として登録するか否かを確認するメッセージである。具体的には、例えば「現在の場所を入館場所として登録しますか。」等のメッセージが表示される。
【００９４】
次いで、入館場所異常判定処理部１４ｃは、保守員Ｍ１によって現在位置情報を入館場所３ｂの位置情報として登録する指示が入力されたか否かを判定する（ステップＳ１１）。ステップＳ１１で、現在位置情報を入館場所３ｂの位置情報として登録する指示が入力されたと判定された場合（ステップＳ１１がＹＥＳ判定の場合）、入館場所登録処理部１４ｅ及びデータ送受信処理部１４ｆは、位置情報更新処理を行う（ステップＳ８）。
【００９５】
一方、ステップＳ１１で、現在位置情報を入館場所３ｂの位置情報として登録する指示が入力されていないと判定された場合（ステップＳ１１がＮＯ判定の場合）、入館場所異常判定処理部１４ｃは、入館処理で生成された入館情報を、データ送受信処理部１４ｆを介して位置情報管理サーバー２に送信する（ステップＳ５）。
【００９６】
ステップＳ９で、位置情報のずれが正常範囲内でないと判定された場合（ステップＳ９がＮＯ判定の場合）、表示処理部１４ｄは、表示入力部１２の画面に位置情報登録確認メッセージを表示する（ステップＳ１２）。ここで表示入力部１２の画面に表示する位置情報登録確認メッセージは、現在位置情報を入館場所３ｂの位置情報として登録するか否かを確認するメッセージである。具体的には、例えば「住所情報と現在地とが違いますが、ここを入館現場として登録しますか。」等のメッセージが表示される。
【００９７】
次いで、入館場所異常判定処理部１４ｃは、保守員Ｍ１によって現在位置情報を入館場所３ｂの位置情報として登録する指示が入力されたか否かを判定する（ステップＳ１３）。ステップＳ１３で、現在位置情報を入館場所３ｂの位置情報として登録する指示が入力されたと判定された場合（ステップＳ１３がＹＥＳ判定の場合）、入館場所登録処理部１４ｅ及びデータ送受信処理部１４ｆは、位置情報更新処理を行う（ステップＳ８）。
【００９８】
一方、ステップＳ１３で、現在位置情報を登録する指示は入力されていないと判定された場合（ステップＳ１３がＮＯ判定の場合）、入館場所異常判定処理部１４ｃは、入館処理で生成された入館情報を、位置情報管理サーバー２に送信する（ステップＳ５）。
【００９９】
［位置情報管理サーバーにおける位置情報管理手法］
次に、図１０を参照して、位置情報管理サーバー２における位置情報管理手法について説明する。図１０は、位置情報管理サーバー２における位置情報管理手法の手順を示すフローチャートである。
【０１００】
まず、位置情報管理サーバー２の入館場所異常判定処理部２３ｂは、新規に登録された入館情報があるか否かを判定する（ステップＳ２１）。具体的には、入館場所異常判定処理部２３ｂは、記憶部２２の入館情報記憶部２２ｂに格納された入館履歴情報Ｄ２において、新たに追加された入館情報があるか否かを判定する。
【０１０１】
ステップＳ２１で、新たに登録された入館情報はないと判定された場合（ステップＳ２１がＮＯ判定の場合）、入館場所異常判定処理部２３ｂは、ステップＳ２１の判定を繰り返す。一方、ステップＳ２１で、新たに登録された入館情報があると判定された場合（ステップＳ２１がＹＥＳ判定の場合）、入館場所異常判定処理部２３ｂは、入館場所３ｂの位置情報が登録済みであるか否かを判定する（ステップＳ２２）。具体的には、入館場所異常判定処理部２３ｂは、現場入館場所記憶部２２ａにアクセスして、位置情報データＤ１に、入館場所３ｂの位置情報が登録されているか否かを判定する。
【０１０２】
ステップＳ２２で、入館場所３ｂの位置情報が登録済みであると判定された場合（ステップＳ２２がＹＥＳ判定の場合）、入館場所異常判定処理部２３ｂは、位置情報データＤ１に登録済み入館場所と入館時に取得された位置情報とのずれが正常範囲内か否かを確認する（ステップＳ２３）。ステップＳ２３で、位置情報のずれは正常範囲内であると判定された場合（ステップＳ２３がＹＥＳ判定の場合）、入館場所異常判定処理部２３ｂは、ステップＳ２１に処理を戻す。
【０１０３】
一方、ステップＳ２３で、位置情報のずれは正常範囲内でないと判定された場合（ステップＳ２３がＮＯ判定の場合）、入館場所異常判定処理部２３ｂは、位置情報異常確認要求メッセージを異常検出履歴情報Ｄ３に登録する（ステップＳ２４）。ここで異常検出履歴情報Ｄ３に登録される位置情報異常確認要求メッセージは、位置情報データＤ１に登録済みの入館場所３ｂの位置情報と、入館時に取得された位置情報とが異なることを示すメッセージである。このメッセージは、例えば、「登録済み入館場所と入館時の位置情報とが異なります。」等の文章で構成される。
【０１０４】
ステップＳ２２で、位置情報は未登録であると判定された場合（ステップＳ２２がＮＯ判定の場合）、入館場所異常判定処理部２３ｂは、現場３の住所から変換した位置情報と、入館時に取得された位置情報とのずれが正常範囲内か否かを判定する（ステップＳ２５）。
【０１０５】
ステップＳ２５で、位置情報のずれは正常範囲内であると判定された場合（ステップＳ２５がＹＥＳ判定の場合）、入館場所異常判定処理部２３ｂは、位置情報異常確認要求メッセージを異常情報記憶部２２ｃ内の異常検出履歴情報Ｄ３に登録する（ステップＳ２６）。ここで異常検出履歴情報Ｄ３に登録される位置情報異常確認要求メッセージは、入館場所３ｂの位置情報が位置情報データＤ１に未登録であることを通知するメッセージであるこのメッセージは、例えば、「入館場所が未登録です。」等の文章で構成される。
【０１０６】
ステップＳ２５で、位置情報のずれは正常範囲内でないと判定された場合（ステップＳ２５がＮＯ判定の場合）、入館場所異常判定処理部２３ｂは、位置情報異常確認要求メッセージを異常検出履歴情報Ｄ３に登録する（ステップＳ２７）。ここで異常検出履歴情報Ｄ３に登録される位置情報異常確認要求メッセージは、入館場所３ｂの住所から変換して得られた位置情報と、入館時に取得された位置情報とが異なることを示すメッセージである。このメッセージは、例えば、「住所情報と入館時の位置情報とが異なります。」等の文章で構成される。
【０１０７】
ステップＳ２４、２６又は２７の処理後、入館場所異常判定処理部２３ｂは、位置情報異常発生アラームを、データ送受信処理部２３ａを介して、携帯端末１及び／又は営業所４内のＰＣ５に送信する（ステップＳ２８）。位置情報異常発生アラームは、アラームを受け取った保守員Ｍ１及び／又は管理者Ｍ２に対して、上述の位置情報異常確認要求メッセージに示されるような異常が発生していることを通知し、位置情報の登録状況の確認を促すメッセージで構成される。位置情報異常発生アラームは、例えば、「位置情報異常が発生しています。状況を確認して下さい。」等の文章で構成される。
【０１０８】
次いで、位置情報管理サーバー２の制御部２３は、携帯端末１又はＰＣ５から、入館場所３ｂの位置情報を受信したか否かを判定する（ステップＳ２９）。ステップＳ２９で、位置情報を受信していないと判定された場合（ステップＳ２９がＮＯ判定の場合）、制御部２３は、ステップＳ２９の判定を繰り返す。
【０１０９】
一方、ステップＳ２９で、携帯端末１又はＰＣ５から位置情報を受信したと判定された場合（ステップＳ２９がＹＥＳ判定の場合）、入館場所登録処理部２３ｃは、受信した位置情報で、登録済みの位置情報を更新（補正）する。入館場所の位置情報が位置情報データＤ１に登録されていない場合には、入館場所登録処理部２３ｃは、受信した位置情報を位置情報データＤ１の位置情報として登録する（ステップＳ３０）。
【０１１０】
なお、図１０に示した例では、入館場所異常判定処理部２３ｂは、ステップＳ２８で位置情報異常発生アラームを送信後に、入館場所の位置情報を受信したか否かのステップＳ２９の判定を行うが、本発明はこれに限定されない。入館場所異常判定処理部２３ｂは、位置情報異常発生アラームを送信したか否かにかかわらず、ステップＳ２９の判定を常に行うようにしてもよい。
【０１１１】
また、図１０に示した例では、入館場所異常判定処理部２３ｂが入館場所３ｂの位置情報を対象として異常（位置情報のずれ）の発生の有無を判定する例を挙げたが、本発明はこれに限定されない。入館場所異常判定処理部２３ｂが異常の発生の有無を判定する対象は、入館場所３ｂに限定されず、位置情報データＤ１に登録済みの登録場所であれば、いずれの場所であってもよい。例えば、携帯端末１から受信した位置情報が駐輪場３ｅの位置情報であれば、入館場所異常判定処理部２３ｂは、受信した位置情報と、位置情報データＤ１内に登録済みの駐輪場の位置情報とを比較し、両位置情報のずれが所定範囲外である場合にアラームを生成する。
【０１１２】
＜各種効果＞
上記実施形態では、保守員Ｍ１の入館時に携帯端末１で取得された現在位置情報と、位置情報データＤ１に予め登録された入館場所３ｂ又は３ｃ等の登録場所の位置情報とのずれ（差）が所定の範囲内であるか否かが、入館場所異常判定処理部２３ｂで判定される。そして、両位置情報間の差が所定の範囲外である場合、入館場所異常判定処理部２３ｂによってアラーム（異常確認要求メッセージ）が生成され、該アラームが携帯端末１及び／又は営業所４内のＰＣ５に送信される。そして、携帯端末１又はＰＣ５から補正用の位置情報（入館時に測位部１１で取得された測位位置情報、又は該測位位置情報を微調整した位置情報）が送信された場合に、入館場所登録処理部２３ｃは、受信した位置情報で、登録済みの位置情報を更新する。位置情報データＤ１に位置情報が未登録である場合には、入館場所登録処理部２３ｃは、受信した位置情報を新たに位置情報データＤ１に登録する。
【０１１３】
これにより、位置情報データＤ１内の入館場所３ｂ又は３ｃ等の登録場所の位置情報が、実際に現場３を訪れた保守員Ｍ１が所持する携帯端末１によって取得された位置情報で補正（又は新規登録）される。つまり、本実施形態によれば、位置情報データＤ１内の登録場所の位置情報が定期的に是正（補正）され、現場３の実際の位置情報を正確に反映したものとなる。そして、保守員Ｍ１が現場３を訪れる際に表示入力部１２に表示する位置情報表示画面Ｓｃ１（図５又は図６参照）においては、位置情報データＤ１内の登録位置の位置情報が地図上にバルーン等で表示される。したがって、保守員Ｍ１は、現場３を訪問する際に位置情報表示画面Ｓｃ１上の地図を確認することにより、目的とする場所、例えば入館場所３ｂの位置を正確に把握することができ、入館場所３ｂに迅速に向かうことができる。
【０１１４】
また、上記実施形態では、位置情報データＤ１の登録場所として、入館場所３ｂ又は３ｃだけでなく、駐車場３ｄや駐輪場３ｅ等の情報も登録される。そして、表示入力部１２に対して、登録場所１２３ｂ（図５又は図６参照）を選択する操作が入力された場合に、入力された操作内容に応じて、駐車場３ｄ又は駐輪場３ｅのいずれかの位置情報が地図上に表示される。それゆえ、保守員Ｍ１は、駐車場３ｄや駐輪場３ｅ等を訪れる際にも、地図を参照して迅速にその場所を訪れることが可能となる。
【０１１５】
また、位置情報管理システム１００を、図７Ａ及びＢに示した保守作業支援システムと連携して位置情報を表示するように構成した場合には、保守員Ｍ１は、保守作業支援システムに対する操作を行うだけで、自分が訪れるべき場所の位置情報も地図上で確認できる。つまり、本実施形態によれば、保守員Ｍ１に手間をかけることなく、保守員Ｍ１が訪れるべき場所の位置情報を地図上に示すことができる。
【０１１６】
また、上記実施形態では、位置情報データＤ１の登録場所に関する情報として、登録場所を使用可能な時間帯の情報も登録される。そして、表示入力部１２に対して、任意の時間帯１２３ｃ（図５又は図６参照）を選択する操作が入力された場合に、入力された操作内容に応じて、昼間又は夜間のそれぞれの使用時間帯と対応付けられた各登録場所の位置情報が地図上に表示される。それゆえ、保守員Ｍ１は、昼間と夜間とで訪問すべき入館場所、駐車場、駐輪場の場所が異なる現場３を訪れる際にも、地図を参照して迅速に目的の場所を訪れることが可能となる。
【０１１７】
また、上記実施形態では、位置データＤ１に入館場所３ｂ又は３ｃ等の場所の位置情報が登録されていない場合には、入館場所異常判定処理部２３ｂは、現場３の住所から変換して得た位置情報と、入館処理時に取得された現在位置情報とを比較する。これにより、例えば、まだ保守員Ｍ１がその現場３に訪問したことのない場合等の理由で、その入館場所３ｂ又は３ｃ等の場所の位置情報が位置情報データＤ１に登録されていない場合であっても、位置情報の是正処理を行えるようになる。より詳細には、位置情報の是正を促すアラーム（異常確認要求メッセージ）を生成及び通知できるようになる。
【０１１８】
また、上記実施形態では、携帯端末１だけでなく、営業所４内のＰＣ５からも、入館場所等の各登録場所の位置情報を更新（補正）する指示を行える。これにより、保守員Ｍ１が時間不足等で現場３において位置情報の更新処理を行えなかった場合にも、保守員Ｍ１は、営業所４に帰着後に位置情報の補正処理を行うことができる。したがって、本実施形態によれば、位置情報の補正処理が確実に実行されるため、位置情報が適切に管理される。
【０１１９】
また、上記実施形態では、現場３で取得されて入館履歴情報Ｄ２に登録された位置情報と、登録済みの位置情報とのずれが所定の範囲外である場合、入館場所異常判定処理部２３ｂによってアラーム（異常確認要求メッセージ）が生成される。そして、そのアラームが携帯端末１及び／又は営業所４内のＰＣ５に送信される。これにより、例えば保守員Ｍ１が位置情報の補正処理を行うことを忘れている場合であっても、アラームを見た管理者Ｍ２が、保守員Ｍ１に位置情報の補正を行うよう促すことが可能となる。したがって、本実施形態によれば、位置情報の補正処理が確実に実行されるため、位置情報が適切に管理される。
【０１２０】
［各種変形例］
以上、本発明の一実施形態に係る位置情報管理システム１００及びその位置情報管理手法について説明したが、本発明は上記実施形態に限定されず、特許請求の範囲に記載した本発明の要旨を逸脱しない限りその他種々の変形例、応用例を取り得る。例えば、次のような各種変形例も本発明に含まれる。
【０１２１】
上記実施形態では、入館場所異常判定処理部２３ｂが位置情報の異常を検知した場合に必ずアラームを生成する例を挙げたが、本発明はこれに限定されない。保守員Ｍ１の操作等に基づいて、携帯端末１に対するアラームの通知は行わないように設定することも可能に構成してもよい。
【０１２２】
また、上記実施形態では、携帯端末１と位置情報管理サーバー２とが協調して位置情報の管理を行う例を挙げたが、本発明はこれに限定されない。例えば、携帯端末１では、保守員Ｍ１による操作入力内容を位置情報管理サーバー２に送信する処理、及び、位置情報管理サーバー２から送信された情報を表示入力部１２に表示する処理のみを行うように構成してもよい。
【０１２３】
なお、上述した実施形態及び各種変形例は本発明を分かりやすく説明するために装置（位置情報管理装置）の構成を詳細且つ具体的に説明したものであり、必ずしも説明した全ての構成を備えるものに限定されるものではない。
【０１２４】
また、上述した位置情報管理装置の制御に係る各構成、機能、処理部等は、それらの一部又は全部を、例えば集積回路で設計する等によりハードウェアで実現されてもよい。また、上述した制御に係る各構成、機能等は、プロセッサがそれぞれの機能を実現するプログラムを解釈し、実行することにより、すなわちソフトウェアにより実現されてもよい。なお、各機能を実現するプログラム、テーブル、ファイル等の情報（データ）は、メモリや、ハードディスク、ＳＳＤ（Solid State Drive）等の記録装置、又はＩＣカード、ＳＤカード、ＤＶＤ等の記録媒体に格納することができる。
【符号の説明】
【０１２５】
１…携帯端末、２…位置情報管理サーバー、３…現場、３ａ…建屋、５…ＰＣ、１１…測位部、１２…表示入力部、１３…記憶部、１３ａ…現場情報記憶部、１４…制御部、１４ａ…現場情報取得処理部、１４ｂ…入館登録処理部、１４ｃ…入館場所異常判定処理部、１４ｄ…表示処理部、１４ｅ…入館場所登録処理部、１４ｆ…データ送受信処理部、１５…ネットワークＩ／Ｆ部、２１…ネットワークＩ／Ｆ部、２２…記憶部、２２ａ…現場入館場所記憶部、２２ｂ…入館情報記憶部、２２ｃ…異常情報記憶部、２３…制御部、２３ａ…データ送受信処理部、２３ｂ…入館場所異常判定処理部、２３ｃ…入館場所登録処理部、５１…ネットワークＩ／Ｆ部、５２…制御部、５３…記憶部、５４…入力部、５５…表示部、１００…位置情報管理システム
【図１】
2018147427.tif 000003
【図２】
2018147427.tif 000004
【図３】
2018147427.tif 000005
【図４】
2018147427.tif 000006
【図５】
2018147427.tif 000007
【図６】
2018147427.tif 000008
【図７】
2018147427.tif 000009
【図８】
2018147427.tif 000010
【図９】
2018147427.tif 000011
【図１０】
2018147427.tif 000012